(57)【特許請求の範囲】
【請求項１】
前面に位置する前面部と左右の側面に位置する側面部と後面に位置するステーと上方に位置する天板とを備え、電子基板を覆う保護ケースにおいて、
前記電子基板は前記ステーに支持され、
内壁に結露した水滴が前記前面部に導かれるように前記天板を傾斜させたことを特徴とする電子基板の保護ケース。
【請求項２】
電子基板を覆う保護ケースにおいて、
前記電子基板の上方に位置する天板を傾斜させ、
前記電子基板には、調整用つまみがケース内壁に向かって起立しており、
前記調整用つまみの先端部には、端部がケース内壁に当接され、外周に凹凸が設けられた環状部材の内周を嵌合させたことを特徴とする電子基板の保護ケース。
【発明の詳細な説明】
【０００１】
【発明の属する技術分野】
本発明は電子基板の保護ケースに係り、特に電子基板を覆うように形成された電子基板の保護ケースに関する。
【０００２】
【従来の技術】
従来の電子基板の保護ケースとしては、例えばコンプレッサの空気タンク内のドレンを排出するためのドレン弁（電磁弁）を所定時間毎に開弁させるためのタイマ回路が搭載された電子基板を収容する保護ケースがある。
【０００３】
この種の保護ケースは、電子基板だけでなくドレン弁及びストレーナを収容するように箱型に形成されており、これらの部品を風雨や塵埃から保護している。
【０００４】
また、保護ケースは、板金などを曲げ加工して所定の寸法形状に形成されており、外力あるいは衝撃から内部に収容された各部品を保護する。
【０００５】
【発明が解決しようとする課題】
しかしながら、従来の保護ケースは、電子基板の上方に配された天板が水平であるので、ケース内壁で結露した場合、天板の内側に結露した水滴が電子基板に落下するおそれがあるという問題があった。
【０００６】
その場合、ケース内壁で結露した水滴が電子基板の電子部品やはんだ付け部分などに落下すると、電子基板の端子間で電気的ショートを引き起こし、ドレン弁を正常に開閉することができなくなる。
【０００７】
そこで、本発明は上記課題を解決した電子基板の保護ケースを提供することを目的とする。
【０００８】
【課題を解決するための手段】
本発明は上記課題を解決するため、以下のような特徴を有する。
【０００９】
上記請求項１記載の発明は、前面に位置する前面部と左右の側面に位置する側面部と後面に位置するステーと上方に位置するとを備え、電子基板を覆う保護ケースにおいて、前記電子基板は前記ステーに支持され、内壁に結露した水滴が前記前面部に導かれるように天板を傾斜させてなり、天板内壁に結露した水滴が傾斜方向に導かれてケース内壁を伝わって下方に移動させることができ、電子基板に水滴が落下することを防止できる。
【００１０】
また、請求項２記載の発明は、電子基板に起立した調整用つまみの先端部に環状部材が嵌合され、外周に凹凸が設けられた環状部材の端部がケース内壁に当接されることにより、ケース内壁を伝わって下方に移動する水滴がゴムパッキンの凸部から落下して調整用つまみから電子基板に移動することを防止する。
【００１１】
【発明の実施の形態】
以下、図面と共に本発明の一実施例について説明する。
【００１２】
図１は本発明になる電子基板の保護ケースの一実施例が適用されたオートドレントラップを示す斜視図である。図２は図１に示すオートドレントラップを背面側からみた斜視図である。図３はオートドレントラップの分解斜視図である。図４はオートドレントラップの組み立て状態を示す外観図であり、（Ａ）は正面図、（Ｂ）は左側面図、（Ｃ）は右側面図、（Ｄ）は平面図である。図５はオートドレントラップを拡大して示す背面図である。
【００１３】
図１乃至図５に示されるように、オートドレントラップ１１は、コンプレッサの空気タンク（図示せず）に溜まったドレンを排出するためのものであり、ベース１２上にドレン弁１４と、ストレーナ１６と、ボールバルブ１８とが取り付けられている。また、ベース１２には、電子基板２０が垂直状態に取り付けられている。電子基板２０は、板金製の保護ケース２２内に収容されており、ドレン弁１４を所定時間毎に開弁させて空気タンクのドレンを定期的に排出させる制御信号をドレン弁１４に出力する制御回路２４が搭載されている。
【００１４】
ドレン弁１４は、電磁弁からなり、外周にはドレンホース（図示せず）が接続されるホース接続口２６が取り付けられている。また、ストレーナ１６は、ニップル２８を介してドレン弁１４に連通されており、排出するドレンに含まれる異物を除去するものである。そして、ストレーナ１６内に溜まった異物は、定期的に清掃される。また、ボールバルブ１８は、手動レバー１８ａを回動操作して開閉される弁であり、通常開弁状態に保持されている。
【００１５】
電子基板２０は、電源ランプ３０、排出ランプ３２、排出間隔調整つまみ３４、排出時間調整つまみ３６が取り付けられている。
【００１６】
保護ケース２２は、電子基板２０の後面側を覆うステー３８と、電子基板２０の前面側を覆うカバー部材４０とを組み合わせたものである。ステー３８は、ベース１２に固定される水平部３８ａと、水平部３８ａより上方に曲げられた電子基板２０の背面に対向する背面部３８ｂとを有する。
【００１７】
カバー部材４０は、電子基板２０の前面に対向する前面部４０ａと、電子基板２０の左右側面に対向する側面部４０ｂ，４０ｃと、電子基板２０の上方を覆う天板４０ｄとを有する。天板４０ｄは、背面側から前面側へ低くなるように水平面に対して角度α（＝約３０〜４５度）で傾斜しており、内壁に結露した水滴が前面部４０ａへ導かれるように形成されている。そのため、天板４０ｄの内壁に結露した水滴は、少しずつ傾斜した天板４０ｄを伝わって前面部４０ａに移動して直接電子基板２０に落下することが防止される。
【００１８】
カバー部材４０の前面部４０ａには、電源ランプ３０、排出ランプ３２、排出間隔調整つまみ３４、排出時間調整つまみ３６が挿通されるための小孔４０ｅ〜４０ｈが設けられている。また、カバー部材４０の側面部４０ｃには、ドレン弁１４を開弁操作するための手動スイッチ４２が取り付けられている。この手動スイッチ４２が押圧操作されている間は、ドレン弁１４が開弁状態に保持される。
【００１９】
図６は保護ケース２２の内部を示す側断面図である。
【００２０】
図６に示されるように、電子基板２０はベース１２に固定されたステー３８の背面部３８ｂに、スペーサ４４を介して支持されており、スペーサ４４に挿通されたボルト４６により固定されている。そのため、電子基板２０は、スペーサ４４の長さだけ背面部３８ｂから離間しており、背面部３８ｂに結露した水滴が電子基板２０のはんだ付け部分や電子部品の端子などに接触しないように取り付けられている。
【００２１】
また、電子基板２０に取り付けられた制御回路２４の電子部品は、カバー部材４０の前面部４０ａと接触しないように取り付けられており、前面部４０ａに結露した水滴が接触しないようになっている。さらに、電子基板２０に取り付けられた電子部品のうち排出間隔調整つまみ３４、及び排出時間調整つまみ３６は、前面側からの操作性をカバー部材４０の前面部４０ａに接近するように延在形成されている。
【００２２】
そのため、カバー部材４０の前面部４０ａに近接する排出間隔調整つまみ３４、及び排出時間調整つまみ３６の先端部には、水滴の移動を阻止するためのゴムパッキン（環状部材）４８が嵌合されている。このゴムパッキン４８は、図７に示されるように、リング状に形成されており、内周に排出間隔調整つまみ３４、及び排出時間調整つまみ３６の先端が挿入される孔４８ａに嵌合され、外周には凸部４８ｂ、４８ｃと凹部４８ｄとが形成されている。そして、ゴムパッキン４８は、一端が前面部４０ａの内壁に当接され、且つ排出間隔調整つまみ３４、及び排出時間調整つまみ３６の先端面が孔４８ａの端部まで挿通されている。
【００２３】
このように外周が凹凸形状に形成されたゴムパッキン４８が排出間隔調整つまみ３４、及び排出時間調整つまみ３６の先端部に嵌合されて前面部４０ａの内壁に当接されることにより、カバー部材４０の前面部４０ａの内壁に結露された水滴が落下する過程でゴムパッキン４８に付着してもゴムパッキン４８の凸部４８ｂ、４８ｃから下方に落下する。これにより、ゴムパッキン４８に付着した水滴は、排出間隔調整つまみ３４、及び排出時間調整つまみ３６に接触せずに落下する。
【００２４】
従って、保護ケース２２内に収容された電子基板２０は、保護ケース２２内壁に結露した水滴が接触しないように取り付けられているため、制御回路２４の電子部品の端子やはんだ付け部分が水滴でショートすることがなく、ドレン弁１４の開弁動作を確実に行うように制御信号を出力することができ、ドレン排出動作の信頼性を高めることができる。
【００２５】
尚、上記実施例では、オートドレントラップに適用された電子基板の保護ケースの構成を一例として挙げたが、これに限らず、他の分野の電子基板を保護する保護ケースにも本発明を適用できるのは勿論である。
【００２６】
また、ゴムパッキン４８の代わりにゴム以外の材質のものを使用しても良い、例えば樹脂製の環状部材を使用することもできる。
【００２７】
また、ゴムパッキン４８の外周形状は、円形に限らず、例えば四角形、六角形、などでも良いのは勿論である。
【００２８】
【発明の効果】
上述の如く、請求項１記載の発明によれば、電子基板の上方に位置する天板を傾斜させたため、天板内壁に結露した水滴が傾斜方向に導かれてケース内壁を伝わって下方に移動させることができ、電子基板に水滴が落下することを防止できる。そのため、電子基板で水滴による電気的ショートを防止でき、電子基板に設けられた回路の信頼性を高めることができる。
【００２９】
また、請求項２記載の発明によれば、電子基板に起立した調整用つまみの先端部に環状部材が嵌合され、外周に凹凸が設けられた環状部材の端部がケース内壁に当接されるため、ケース内壁を伝わって下方に移動する水滴がゴムパッキンの凸部から落下して調整用つまみから電子基板に移動することを防止でき、電子基板に設けられた回路の信頼性を高めることができる。
【図面の簡単な説明】
【図１】本発明になる電子基板の保護ケースの一実施例が適用されたオートドレントラップを示す斜視図である。
【図２】図１に示すオートドレントラップを背面側からみた斜視図である。
【図３】オートドレントラップの分解斜視図である。
【図４】オートドレントラップの組み立て状態を示す外観図であり、（Ａ）は正面図、（Ｂ）は左側面図、（Ｃ）は右側面図、（Ｄ）は平面図である。
【図５】オートドレントラップを拡大して示す背面図である。
【図６】保護ケース２２の内部を示す側断面図である。
【図７】排出間隔調整つまみ３４とゴムパッキン４０の形状を拡大して示す分解斜視図である。
【符号の説明】
１１  オートドレントラップ
１２  ベース
１４  ドレン弁
１６  ストレーナ
１８  ボールバルブ
２０  電子基板
２２  保護ケース
３４  排出間隔調整つまみ
３６  排出時間調整つまみ
３８  ステー
４０  カバー部材
４０ａ  前面部
４０ｄ  天板
４８  ゴムパッキン
【図１】
0004456744.tif 000002
【図２】
0004456744.tif 000003
【図３】
0004456744.tif 000004
【図４】
0004456744.tif 000005
【図５】
0004456744.tif 000006
【図６】
0004456744.tif 000007
【図７】
0004456744.tif 000008